(57)【要約】【課題】充分に高い消臭力を有した消臭剤、特に魚臭及び糞尿臭に対して高い消臭力を有した消臭剤を提供すること。【解決手段】０．０５〜５質量％の柿タンニンと有機酸及び／又は有機酸塩を含み、ｐＨ４．０〜５．５である水溶液状の消臭剤。本発明により、特には魚臭及び糞尿臭に対する消臭効果が高い消臭剤を提供することが可能となった。【選択図】なし【特許請求の範囲】
【請求項１】
ａ）０．０５〜５質量％の柿タンニンと、ｂ）有機酸又は有機酸塩からなる群から選ばれる１種以上を含有するｐＨ４．０〜５．５である水溶液状の消臭剤。
【請求項２】
ｂ）有機酸又は有機酸塩がクエン酸、リンゴ酸、酒石酸、クエン酸塩、リンゴ酸塩又は酒石酸塩からなる群から選ばれる１種以上である請求項１記載の消臭剤。
【請求項３】
請求項１又は２記載の組成物を噴霧容器に充填してなるスプレー式消臭剤。
【請求項４】
消臭の対象とする臭いが魚臭である請求項１〜３のいずれか１項記載の消臭剤。
【請求項５】
魚臭の原因物質がトリメチルアミンである請求項４記載の消臭剤。
【請求項６】
消臭の対象とする臭いが糞尿臭である請求項１〜３のいずれか１項記載の消臭剤。
【請求項７】
臭いの原因物質がアンモニアである請求項４又は６記載の消臭剤。
【発明の詳細な説明】
【技術分野】
【０００１】  本発明は柿タンニンを含む水溶液状の消臭剤に関する。詳しくは消臭効果が高く、特に魚臭や糞尿臭に対して消臭効果が高い水溶液状の消臭剤に関する。
【背景技術】
【０００２】  柿タンニンは柿渋に含まれる成分で、柿渋とは渋柿の果汁を発酵させて作る液体である。柿渋には、防腐・防虫・防水効果があり、日本では平安時代から様々な用途で利用されてきた。代表的な利用法としては、木材建築の下地や塗料、和傘や魚網の塗料、衣服の染料などがある（非特許文献１）。最近では天然素材として再び脚光を浴びており、新たな用途開発が進んでいる。例えばシックハウス症候群を引き起こさない自然派の壁塗料や、さび止め、携帯電話からの金の回収にも使われている。更にノロウイルスなど様々なウイルスの不活化にも効果があることが報告されており、注目されている（非特許文献１）。このように様々な効果がある柿渋の成分が、本発明の構成要件である柿タンニンである。【０００３】  柿タンニンはタンニンの一種で、タンニンは茶、ワインなどにも含まれ、その性質から水溶性のタンニン（ピロガロールタンニン）と縮合型のタンニン（カテコールタンニン）に分けられる。柿タンニンは縮合型タンニン（カテコールタンニン）の一種であるが、他の植物のタンニンと比較して非常に多くのフェノール性水酸基を持ち、極めて強い水素結合能を保持しており、更に分子量が大きく、諸説はあるものの、その平均分子量は１３８００と推定されている（非特許文献２）。この様に柿タンニンは他の植物のタンニンと一線を画した構造と性質を持っている。尚、柿に含まれる縮合型タンニン含有量の測定法は、バニリン塩酸塩法が知られている（非特許文献３）。【０００４】  一方、魚臭は代表的な悪臭として挙げられ、主に生臭い魚臭の要因となるものは、トリメチルアミンである（非特許文献４）。トリメチルアミンは、魚の中に大量に含まれるトリメチルアミンオキサイドが、細菌により分解して発生する（非特許文献５）。魚が死んだ後、死後硬直が解けてくると、段々と細菌の活動が活発になり、細菌の持つ酵素によってトリメチルアミンが大量に生成されてくる。尚、トリメチルアミン尿症（魚臭症）は、摂取した食物を体内で消化分解した際に発生したトリメチルアミンが分解されず、汗や尿、呼気の中に排出されてしまう疾患であり、トリメチルアミンは腐敗した魚の臭いがするため、魚臭症、魚臭症候群とも呼ばれる（非特許文献６）。この疾患には大きな社会的問題があり、それは、外部への不快臭による被害である。患者には強い体臭以外は健康面での問題が発生しないため、今までは軽視されてきた。しかし近年、体臭が原因で患者が仕事を続けられなくなり、日常生活に支障をきたすことが大きな問題となってきている。この様な観点からも魚臭に対して高い消臭力を有した消臭剤の開発が望まれていた。【０００５】  他方、一般的に大便の臭いは食物の残滓が腐敗して発すると思われがちだが、一緒になって放出される細菌類の排泄物によって臭いが放たれる。臭いの原因成分としてはインドール、スカトール及び硫化水素等が挙げられる。【０００６】  また尿臭、所謂、小便は排泄直後には強い臭いは発生せず、バクテリアの作用により尿中の成分が分解されることによって生じる。バクテリアの持つ酵素、即ちウレアーゼの作用により、尿中に含まれる尿素がアンモニアと二酸化炭素に分解される。アンモニアが生成するとｐＨが上昇して尿��のカルシウムイオンなどが炭酸塩、リン酸塩として析出し、尿石を形成する。そこで形成された尿石は多孔質であるため、様々なバクテリアが溜まり、そして増殖してアンモニアやトリメチルアミン等の成分からなる強烈な不快臭を放出することになる。【０００７】  上述の糞尿臭の一般的な消臭方法として、消臭効果が期待される薬剤組成物を排便後に適用する方法が汎用されている。その薬剤の形態としては、スプレー等の溶液や固形状若しくは半固形状の消臭剤が市販されている。溶液状の消臭剤は界面活性剤や塩素系化合物を使用したものが多いが、充分な消臭性能は得られていないのが現状である。【０００８】  一方、前述の柿タンニンの消臭効果は、様々な臭いに対して有効で、例えば、口臭に対する消臭効果も確認されている（特許文献３、非特許文献７）。更には柿タンニンを使った体臭の消臭技術（特許文献４）やトイレ臭の消臭技術（特許文献５）も知られている。しかし、高い消臭力、特に魚臭や糞便臭に対して充分な消臭力を持った柿タンニンの水溶液状の消臭剤に関する技術は知られていなかった。【０００９】  現在、柿タンニンを含有した消臭剤は多数市販されており、魚臭や糞尿臭に対してもある程度の効果を示すことも既知である。しかしながら、これらの柿タンニンを含有した水溶液状の消臭剤は、単に柿タンニンの水溶液として提供された商品や、そこにミネラル成分を加えた商品（非特許文献８）である。そしてこれらの市販品は使用環境（例えば使用時の温度環境）によって効果にバラツキがあり、実際に消臭効果を充分に発揮できるものではなかった。【００１０】  ポリフェノール誘導体に有機酸を加えて酸性側のｐＨとした消臭剤として、ポリフェノール誘導体（タンニン、ピロガロールタンニン及びカテコールタンニン）と有機酸及びその塩によりｐＨを３〜６とする技術が知られている（特許文献６）。しかし、当該発明の実施例にて具体的に効果が示されているポリフェノール誘導体の基原はチャ、紅茶、アマチャ、オウゴン、シソ及びオランダハッカのみであり、前述の如く、これらポリフェノール誘導体と比較して特異な構造を持つ柿タンニンについて同列に論じられるものでない。さらに、消臭の対象としているのはタバコの付着臭のみである。タバコ付着臭はアルデヒド、オレフィン、複素環化合物、芳香族化合物が多いことが知られている（非特許文献９）が、トリメチルアミンに代表される魚臭やインドール、アンモニアに代表される糞尿臭の消臭に消臭効果が発揮できるか不明であり、ましてや充分な消臭効果が得られるかは全く不明である。
【先行技術文献】
【特許文献】
【００１１】
【特許文献１】特開昭６１−８７５６２号公報
【特許文献２】特開２００５−１１８２３０号公報
【特許文献３】特開２００６−２９８８２７号公報
【特許文献４】特開２００１−３０２４８３号公報
【特許文献５】特開２０１５−０４７２９６号公報
【特許文献６】特開２００２−３３６３３８号公報
【非特許文献】
【００１２】
【非特許文献１】島本整、日本文化に根付いた柿渋の化学、化学と教育、Ｖｏｌ．６４、Ｎｏ．７、Ｐ３４８−３４９（２０１６）
【非特許文献２】松尾友明ら、カキタンニンをめぐって、科学と生物、Ｖｏｌ．１５、Ｎｏ．１１、Ｐ７３２−７３６（１９７７）
【非特許文献３】横山慎一郎ら、水不溶性の柿（カキ）成分乾燥粉末中の縮合型タンニン含有量測定法，食品中の健康機能性成分の分析法マニュアル（産技連／食品機能成分分析研究会  編）マニュアル参考様式Ｖｅｒ．１（２０１２年）
【非特許文献４】王璋ら、加熱で増える魚臭とトリメチルアミンの米発酵液による抑制、日本醸造協会誌、Ｖｏｌ．９０（１９９５）Ｎｏ．７、Ｐ５５３−５５９（１９９５）
【非特許文献５】木村メイコら、０℃以下の温度におけるトリメチルアミン−Ｎ−オキシドの酵素的および非酵素的分解、日本水産学会誌、６８（１）、Ｐ８５−９１（２００２）
【非特許文献６】山崎浩史ら、アジアにおける魚臭症候群患者のトリメチルアミン代謝の変動要因、第１８回日本薬物動態学会年会要旨集、セッションＩＤ：９５２Ｂ−２（２００３）
【非特許文献７】
2019115646.tif 000002
【非特許文献８】株式会社リアルメイト社  プレスリリース（２０１５年６月１５日）ＵＲＬ：ｈｔｔｐｓ：／／ｗｗｗ．ａｔｐｒｅｓｓ．ｎｅ．ｊｐ／ｎｅｗｓ／６１８８５
【非特許文献９】森北浩通ら、タバコ付着臭の簡易的な臭気強度測定法、におい・かおり環境学会誌、３８巻４号）Ｐ２８０−２８６（２００７年）
【発明の概要】
【発明が解決しようとする課題】
【００１３】  上述の如く従来の柿タンニンを含有した液状の消臭剤は、充分な消臭効果、特に魚臭や糞尿臭に対して充分な消臭効果を発揮することが出来なかった。また、今以て治療方法が確立していないトリメチルアミン尿症（魚臭症）患者の方々のことを鑑みると、その精神的負担を軽減すべき製品の上市が待ち望まれている。即ち本発明の課題は、温度環境の変動に関わらず恒常的に充分に高い消臭力を有した消臭剤、特に魚臭や糞尿に対して高い消臭力と有した消臭剤を提供することにある。
【課題を解決するための手段】
【００１４】  本発明者は上記課題を解決すべく、鋭意検討した結果、柿タンニンを含む水溶液に有機酸及び／又はその塩を添加してｐＨを４．０〜５．５の領域に調整することで、柿タンニンの消臭効果、特に魚臭や糞尿臭に対する消臭効果が画期的に増大することを見出し、本発明に到達した。即ち本発明は以下のとおりである。【００１５】  ［１］ａ）０．０５〜５質量％の柿タンニン及び、ｂ）有機酸又は有機酸塩からなる群から選ばれる１種以上を含有するｐＨ４．０〜５．５である水溶液状の消臭剤。
［２］ｂ）有機酸又は有機酸塩がクエン酸、リンゴ酸、酒石酸、クエン酸塩、リンゴ酸塩又は酒石酸塩からなる群から選ばれる上記［１］記載の消臭剤。
［３］上記［１］又は［２］記載の組成物を噴霧容器に充填してなるスプレー式消臭剤。
［４］消臭の対象とする臭いが魚臭である上記［１］〜［３］のいずれかに記載の消臭剤。
［５］魚臭の原因物質がトリメチルアミンである上記［４］記載の消臭剤。
［６］消臭の対象とする臭いが糞尿臭である上記［１］〜［３］のいずれか１に記載の消臭剤。
［７］臭いの原因物質がアンモニアである上記［４］又は［６］記載の消臭剤。
【発明の効果】
【００１６】  本発明によれば、温度の変動に関わらず恒常的に消臭効果の高い、特に魚臭及び糞尿臭に対して消臭効果の高い水溶液状の消臭剤を提供できる。
【発明を実施するための形態】
【００１７】  本発明の形態は水をベースとした液状の溶液であり、例えばトリガーボトル等の噴霧容器に充填して使用される。
【００１８】  本発明で使用する柿タンニンは、柿の搾汁液から抽出してもよいが、不純物の存在等を考慮すると、加工原料を使用することが好ましい。例えば、パンシルシリーズ（リリース科学工業株式会社）を使用することができる。柿タンニンの最終濃度は、０．０５〜５質量％が好ましく、０．１〜１質量％がより好ましい。柿タンニンの最終濃度が、０．０５質量％より低いと充分な消臭力を示すことができず、５質量％より高いと粘度が上がり、液状の消臭剤としての機能を損なうことになる。尚、柿タンニンの定量は、縮合型タンニンの定量法であるバニリン塩酸塩法（非特許文献３）で行うことがきる。
【００１９】  有機酸は、例えばクエン酸、リンゴ酸、酒石酸が挙げられる。有機酸塩はこれら有機酸のナトリウム等のアルカリ金属塩や、カルシウム等のアルカリ土類金属塩が挙げられる。これら有機酸や有機塩の濃度及び組成比は、ｐＨ４．０〜５．５の領域でｐＨ緩衝能を有する濃度や組成比であれば、特に制限はない。
【００２０】  消臭剤のｐＨは４．０〜５．５が好ましく、４．５〜５．０がより好ましい。ｐＨが５．５より高いと魚臭や糞尿臭に対する充分な消臭効果が得られず、ｐＨが４．０より低いと万一、人体の粘膜部位へ当該消臭剤が付着した場合の安全性や衣服へ使用した場合の変色等の懸念がある上、充分な消臭効果も得られない。
【００２１】  本発明の消臭剤には、浸透圧の調整（等張化剤）として無機塩、例えば塩化ナトリウムを加えてもよい。その際の無機塩の濃度は、浸透圧調整の目的を達する量であればよい。また、保存効力を付与するため１〜３０質量％の１，３−ブチレングリコール、１，２−ペンタンジオール及び／又はエタノール等のアルコール類を加えてもよい。また、他の消臭素材として茶タンニン、ヒドロキシプロピル−β−シクロデキストリン等のシクロデキストリン類及び／又は両性界面活性剤等と組み合わせて使用することも可能である。
【００２２】  魚臭は直接的な魚の腐敗臭だけでなく、魚臭に擬せられる臭いも含まれる。例えば、トリメチルアミン症（魚臭症）による口臭や体臭が含まれる。体臭に使用するのであれば、汗腺の多い腋窩に対して、本発明の消臭剤の効果が特に期待される。糞尿臭を消臭する場合は、トイレの便器、使用済みのオムツ等に適用され、更には犬や猫等のペットが排出した糞尿にも高い消臭効果がある。
【００２３】  本発明の水溶液状の消臭剤は、水に柿タンニン、有機酸、有機酸塩を添加して調製してもよいし、あらかじめ調製した有機酸や有機酸塩を含むｐＨ緩衝液に柿タンニンを添加してもよい。いずれにしても、最終的にｐＨが所定の範囲になるようにして、消臭剤を製造する。
【００２４】  製造した液状の消臭剤は、例えばトリガーボトルに充填して、臭いの発生源へ霧状にスプレーして使用したり、布やスポンジなどに染み込ませて、臭いの発生源を拭くなどして使用してもよい。
【実施例】
【００２５】  次に実施例を挙げて本発明を詳細に説明するが、本発明はこれに限定されるものではない。尚、各実施例及び比較例には消臭・除菌剤の調製方法を記載し、各検体の評価方法、即ち消臭力試験及び官能評価試験については、後で記載する。また、各消臭剤における各成分の組成及びｐＨを表１にまとめた。
【実施例１】
【００２６】  パンシルＣＯＳ−１７（リリース科学工業株式会社）５ｇ（柿タンニンとして０．２５ｇに相当）、クエン酸一水和物０．２６ｇ及び塩化ナトリウム０．９ｇを精製水適量に溶かした。そこに１，２−ペンタンジオール２ｇ及び精製水適量を加えて全量を１００ｇとした後、高密度ポリエチレン製トリガーボトルに充填して消臭剤とした。この内容液のｐＨは４．７であった。
【実施例２】
【００２７】  パンシルＣＯＳ−１７（リリース科学工業株式会社）５ｇ（柿タンニンとして０．２５ｇに相当）及びクエン酸一水和物０．２６ｇを精製水適量に溶かした。そこに１，３−ブチレングリコール２ｇ及び精製水適量を加えて全量を１００ｇとした後、高密度ポリエチレン製トリガーボトルに充填して消臭剤とした。この内容液のｐＨは４．９であった。
【実施例３】
【００２８】  パンシルＣＯＳ−１７（リリース科学工業株式会社）１ｇ（柿タンニンとして０．０５ｇに相当）、クエン酸一水和物０．１６ｇ、クエン酸三ナトリウム二水和物０．１４ｇ及び塩化ナトリウム１．８ｇを精製水適量に溶かした。そこに１，３−ブチレングリコール２ｇ及び精製水適量を加えて全量を１００ｇとした後、高密度ポリエチレン製トリガーボトルに充填して消臭剤とした。この内容液のｐＨは５．４であった。
【実施例４】
【００２９】  パンシルＣＯＳ−１７（リリース科学工業株式会社）１０ｇ（柿タンニンとして０．５ｇに相当）、クエン酸一水和物０．１３ｇ及びＤＬ−リンゴ酸０．１３ｇを精製水適量に溶かした。そこに１，２−ペンタンジオール２ｇ及び精製水適量を加えて全量を１００ｇとした後、高密度ポリエチレン製トリガーボトルに充填して消臭剤とした。この内容液のｐＨは４．８であった。
【実施例５】
【００３０】  パンシルＣＯＳ−１７（リリース科学工業株式会社）８０ｇ（柿タンニンとして４ｇに相当）、酒石酸０．５ｇ及び酒石酸カリウムナトリウム四水和物０．１ｇを精製水適量に溶かした。そこに１，２−ペンタンジオール２ｇ及び精製水適量を加えて全量を１００ｇとした後、高密度ポリエチレン製トリガーボトルに充填して消臭剤とした。この内容液のｐＨは４．５であった。【００３１】［比較例１］
パンシルＣＯＳ−１７（リリース科学工業株式会社）５ｇ（柿タンニンとして０．２５ｇに相当）をとり、以下クエン酸一水和物を添加しないこと以外は実施例１と同様に操作し、消臭剤とした。この内容液のｐＨは５．９であった。【００３２】［比較例２］
パンシルＣＯＳ−１７（リリース科学工業株式会社）５ｇ（柿タンニンとして０．２５ｇに相当）をとり、以下クエン酸一水和物を添加しないこと以外は実施例２と同様に操作し、消臭剤とした。この内容液のｐＨは６．３であった。【００３３】［比較例３］
パンシルＣＯＳ−１７（リリース科学工業株式会社）１ｇ（柿タンニンとして０．０５ｇに相当）をとり、以下クエン酸一水和物及びクエン酸三ナトリウム二水和物０．１４ｇを添加しないこと以外は実施例３と同様に操作し、消臭剤とした。この内容液のｐＨは６．７であった。【００３４】［比較例４］
パンシルＣＯＳ−１７（リリース科学工業株式会社）１０ｇ（柿タンニンとして０．５ｇに相当）をとり、以下クエン酸一水和物及びＤＬ−リンゴ酸を添加しないこと以外は実施例４と同様に操作し、消臭剤とした。この内容液のｐＨは６．６であった。【００３５】［比較例５］
パンシルＣＯＳ−１７（リリース科学工業株式会社）８０ｇ（柿タンニンとして４ｇに相当）をとり、以下酒石酸及び酒石酸カリウムナトリウム四水和物を添加しないこと以外は実施例５と同様に操作し、消臭剤とした。この内容液のｐＨは６．５であった。【００３６】［比較例６］
パンシルＣＯＳ−１７（リリース科学工業株式会社）５ｇ（柿タンニンとして０．２５ｇに相当）、クエン酸一水和物０．８ｇ及び塩化ナトリウム０．９ｇを精製水適量に溶かした。そこに１，２−ペンタンジオール２ｇ及び精製水適量を加えて全量を１００ｇとした後、高密度ポリエチレン製トリガーボトルに充填して消臭剤とした。この内容液のｐＨは３．８であった。【００３７】［比較例７］
パンシルＣＯＳ−１７（リリース科学工業株式会社）５ｇ（柿タンニンとして０．２５ｇに相当）、クエン酸一水和物１．１ｇ及び塩化ナトリウム０．９ｇを精製水適量に溶かした。そこに１，２−ペンタンジオール２．０ｇ及び精製水適量を加えて全量を１００ｇとした後、高密度ポリエチレン製トリガーボトルに充填して消臭剤とした。この内容液のｐＨは３．６であった。【００３８】［比較例８］
パンシルＣＯＳ−１７（リリース科学工業株式会社）を加えないこと以外は実施例３と同様に操作し、消臭剤とした。この内容液のｐＨは５．０であった。【００３９】［比較例９］
パンシルＣＯＳ−１７（リリース科学工業株式会社）の代わりにフラボノイド−Ｂ（第一化成産業株式会社）（茶抽出物（固形分１０％））１．２５ｇをとり、以下実施例１と同様に操作し、消臭剤とした。この内容液のｐＨは４．５であった。【００４０】［比較例１０］
パンシルＣＯＳ−１７（リリース科学工業株式会社）の代わりにＣＡＶＡＳＯＬ  Ｗ７ＨＰ（株式会社シクロケム）（ヒドロキシプロピル−β−シクロデキストリン（トウモロコシ由来））２ｇをとり、以下実施例１と同様に操作し、消臭剤とした。この内容液のｐＨは４．５であった。【００４１】［比較例１１］
消臭剤の他社市販品Ａ（ロット番号６３４４２４Ｂ００４０５、２０１７年３月に埼玉県蓮田市内のコンビニエンスストアーにて購入、表示成分：トウモロコシ由来消臭成分、除菌成分（有機系））【００４２】［比較例１２］
消臭・抗菌剤の他社市販品Ｂ（ロット番号ＷＯ２４３３７６、２０１７年３月に埼玉県蓮田市内のコンビニエンスストアーにて購入、表示成分：両性界面活性剤、緑茶エキス、除菌剤、香料、エタノール）【００４３】  表１は実施例１〜５及び比較例１〜１２の組成を示した表である。【００４４】
【表１】
2019115646.tif 000003
【００４５】［試験例１］消臭力試験（トリメチルアミン）
実施例１〜５及び比較例１〜１２の消臭剤につき試験を実施した。室温２３℃環境下、容量約３Ｌのセパラブルフラスコ（筒型タイプ、口径φ１２０ｍｍ、胴径φ１３０ｍｍ、高さ３００ｍｍ）にセパラブルカバー（平面摺合タイプ、二つ口、ツバ内径φ１２０ｍｍ、ツバ外径１５０ｍｍ、高さ１２２ｍｍ）を乗せ、フラスコ内にトリメチルアミンガス（以下、ＴＭＡガスと略す）を約１３０〜１４０ｐｐｍになる様に発生・充満させた。アミン類検知管Ｎｏ．１８０（株式会社ガステック）を用いて上述のＴＭＡガス濃度を測定した後、上部ポートより検体（実施例及び比較例の消臭剤）を１．２５ｍＬ注入して静置した。１時間静置した後、アミン類検知管Ｎｏ．１８０（株式会社ガステック）を用いてＴＭＡガス濃度を測定して、下記計算式によりＴＭＡガスの消臭率を求めた。
ＴＭＡガスの消臭率（％）＝１００−｛（１時間静置後のＴＭＡガス濃度）／（検体注入前のＴＭＡガス濃度）×１００｝
消臭力の判定は消臭率７０％以上を「適合」とし、７０％未満を「不適」と判定した。
試験結果を表２に記載した。【００４６】  表２は実施例１〜５及び比較例１〜１２の消臭力試験結果（トリメチルアミン）を示した表である。【００４７】
【表２】
2019115646.tif 000004
【００４８】  表２から明らかな様に柿タンニンを含有していない比較例８〜１０の消臭率は４０％未満であり、また柿タンニンを配合した場合でもｐＨが４．０〜５．５の範囲外である比較例１〜７の消臭率は４７．２％〜６５．５％と充分な消臭力を示さなかった。他社市販品Ａ（比較例１１）及びＢ（比較例１２）の消臭率も５１．９％及び３８．１％を示し、充分な消臭力がないことが解った。総じて比較例の判定は全て「不適」であった。一方、ｐＨを有機酸及び／又は有機酸塩により４．０〜５．５の範囲内に調整した本発明の実施例１〜５の消臭率は何れも７５％以上と良好な消臭力を示し、判定基準に「適合」した。【００４９】［試験例２］消臭力試験（アンモニア）
実施例１〜５及び比較例１〜１２の消臭剤につき試験を実施した。室温２３℃環境下、容量約３Ｌのセパラブルフラスコ（筒型タイプ、口径φ１２０ｍｍ、胴径φ１３０ｍｍ、高さ３００ｍｍ）にセパラブルカバー（平面摺合タイプ、二つ口、ツバ内径φ１２０ｍｍ、ツバ外径１５０ｍｍ、高さ１２２ｍｍ）を乗せ、フラスコ内にアンモニアガス（以下、ＡＭＭガスと略す）を約６０〜７０ｐｐｍになる様に発生・充満させた。アンモニア検知管Ｎｏ．３Ｌａ（株式会社ガステック）を用いて上述のＡＭＭガス濃度を測定した後、上部ポートより検体（実施例及び比較例の消臭剤）を５ｍＬ注入して静置した。１時間静置した後、アンモニア検知管Ｎｏ．３Ｌａ（株式会社ガステック）を用いてＡＭＭガス濃度を測定して、下記計算式によりＡＭＭガスの消臭率を求めた。
ＡＭＭガスの消臭率（％）＝１００−｛（１時間静置後のＡＭＭガス濃度）／（検体注入前のＡＭＭガス濃度）×１００｝
消臭力の判定は消臭率８５％以上を「適合」とし、８５％未満を「不適」と判定した。
試験結果を表３に記載した。【００５０】  表３は実施例１〜５及び比較例１〜１２の消臭力試験結果（アンモニア）を示した表である。【００５１】
【表３】
2019115646.tif 000005
【００５２】  表３から明らかな様に柿タンニンを含有していない比較例８〜１０の消臭率は３０％未満であり、また柿タンニンを配合した場合でもｐＨが４．０〜５．５の範囲外である比較例１〜７の消臭率は６９．８％〜７８．５％と充分な消臭力を示さなかった。他社市販品Ａ（比較例１１）及びＢ（比較例１２）の消臭率も４３．０％及び８３．０％を示し、充分な消臭力がないことが解った。総じて比較例の判定は全て「不適」であった。一方、有機酸及び／又は有機酸塩によりｐＨを４．０〜５．５の範囲内に調整した本発明の実施例１〜５の消臭率は何れも８５％以上と良好な消臭力を示し、判定基準に「適合」した。【００５３】［試験例３］消臭力試験（トリメチルアミンの消臭率に及ぼす温度の影響）
実施例１について前術の消臭力試験（トリメチルアミン）と同様の方法で、様々な温度条件下、ＴＭＡの１時間後の消臭率を測定した。【００５４】  表４は実施例１の消臭力試験結果（温度の影響）を示した表である。【００５５】
【表４】
2019115646.tif 000006
【００５６】  表４より明らかな様に、いずれの温度でもＴＭＡの消臭率はほぼ変わらず、実施例１の発明は温度の変動に関わらず恒常的に消臭効果が高いことが示された。【００５７】［試験例４］官能試験（魚臭の官能評価）
良く訓練された評価パネラー５名が実施例及び比較例の消臭剤の魚臭に対する効果を以下の評価基準によって評価し、５名の評点の平均値によって消臭効果の程度を判定した。試験は生魚（鯖）の表面を拭いた木綿製の布片（５ｃｍ×５ｃｍ）に各消臭剤約１．５ｍＬを均等に噴霧して風乾した後、その布片の臭い（魚臭）を各パネラーが評価した。
評価基準
評点３：魚臭を認めない
評点２：僅かに魚臭を認めた
評点１：魚臭を認めた
評点０：強い魚臭を認めた
消臭効果の判定
◎  ：５名の評点の平均値が２．３以上〜３．０未満
○  ：５名の評点の平均値が１．５以上〜２．３未満
△  ：５名の評点の平均値が０．８以上〜１．５未満
×  ：５名の評点の平均値が０〜０．８未満【００５８】  表５は実施例１〜５及び比較例１〜１２の官能試験結果（魚臭）を示した表である。【００５９】
【表５】
2019115646.tif 000007
【００６０】  表５から明らかな様に柿タンニンを含有していない比較例８〜１０の魚臭に対する消臭効果の判定はいずれも×であり、また柿タンニンを配合した場合でもｐＨが４．０〜５．５の範囲外である比較例１〜７及び他社市販品（比較例１１及び１２）の判定は△〜○となり魚臭が残存していた。一方、有機酸及び／又は有機酸塩によりｐＨを４．０〜５．５の範囲内に調整した本発明の実施例１〜５の魚臭に対する消臭効果はほぼ完ぺきであり、判定は◎であった。官能評価に於いても本発明の魚臭に対する消臭効果が高いことが示された。【００６１】［試験例５］官能試験（ペットの糞尿臭の官能評価）
良く訓練された評価パネラー５名が実施例及び比較例の消臭剤のペットの糞尿臭に対する効果を以下の評価基準によって評価し、５名の評点の平均値によって消臭効果の程度を判定した。試験は市販のペット用紙オムツ（商品名；ユニチャームペット紙オムツＳサイズ；ユニ・チャーム株式会社）を小型シェットランド犬に装着させ、糞尿を排便したのを確認した後に取り外して、各消臭剤約５ｍＬを入念に噴霧した後、その紙オムツの臭い（糞尿臭）を各パネラーが評価した。
評価基準
評点３：糞尿臭を認めない
評点２：僅かに糞尿臭を認めた
評点１：糞尿臭を認めた
評点０：強い糞尿臭を認めた
消臭効果の判定
◎  ：５名の評点の平均値が２．３以上〜３．０未満
○  ：５名の評点の平均値が１．５以上〜２．３未満
△  ：５名の評点の平均値が０．８以上〜１．５未満
×  ：５名の評点の平均値が０〜０．８未満【００６２】  表６は実施例１〜５及び比較例１〜１２の官能試験結果（糞尿臭）を示した表である。【００６３】
【表６】
2019115646.tif 000008
【００６４】  表６から明らかな様に柿タンニンを含有していない比較例８〜１０の糞尿臭に対する消臭効果の判定はいずれも×であり、また柿タンニンを配合した場合でもｐＨが４．０〜５．５の範囲外である比較例１〜７及び他社市販品（比較例１１及び１２）の判定は△〜○となり糞尿臭が残存していた。一方、有機酸及び／又は有機酸塩によりｐＨを４．０〜５．５の範囲内に調整した本発明の実施例１〜５の糞尿臭に対する消臭効果は、判定が◎であった。官能評価に於いても本発明の糞尿臭に対する消臭効果が高いことが示された。【００６５】  上述の試験例１〜５の結果を鑑み、理化学的試験（試験例１〜３）に於いて本発明の消臭剤はトリメチルアミン及びアンモニアに対する消臭効果が恒常的に高いことが示された。更に官能的試験（試験例４及び５）に於いては、本発明の消臭剤は魚臭及び糞尿臭に対する消臭効果が高いことが確認された。
【産業上の利用可能性】
【００６６】  本発明により消臭効果が高い、特には魚臭や糞尿臭に対して消臭効果の高い消臭剤を提供することが可能となった。本発明の消臭剤は、今まで消臭効果が不充分であった魚釣りをした後や生魚を調理した後の手、布やまな板等に付着した魚臭の消臭、並びに排便後のトイレやオムツ、ペットの排泄物等の糞尿臭の消臭剤として有用である。更にトリメチルアミン症（魚臭症）患者の方々の口臭や体臭の緩和に役立つ消臭剤として利用される可能性が示唆された。